(57)【要約】【課題】雨滴や浸水以外の形で配電設備の外囲器内部に侵入する水蒸気、及びその水蒸気により外囲器内部に生じる結露の影響について調査する試験方法を提供する。【解決手段】閉鎖金属盤５内部に複数の湿度計を設置し、閉鎖金属盤５内部の湿度を上昇させる加湿手段を設置して湿度を上昇させる。所定時間経過後、閉鎖金属盤５の複数箇所の湿度を測定し、閉鎖金属盤５内部の結露の発生の有無を確認する。結露が生じている場合には結露が生じた位置と結露の状態を確認する。これらの情報をもとに、閉鎖金属盤５内部の湿度とその湿度における結露の状態（結露レベル）、及びその湿度と結露の状態が機器及び部品に与える影響を調査する。【選択図】図１
2010259143.tif 000002
【特許請求の範囲】
【請求項１】
配電手段を構成する複数の機器及び部品が箱型の外囲器に収納されてなる配電設備について、前記外囲器の内部に侵入する水蒸気、及びその水蒸気により生じる結露の影響を調査する配電設備の試験方法であって、
前記外囲器内部に湿度測定手段を設置する第１のステップ、
前記外囲器内部の湿度を上昇させる第２のステップ、
前記第２のステップから所定時間経過後、前記湿度測定手段により前記外囲器内部の湿度を測定する第３のステップ、
前記外囲器内部に結露が生じている場合には結露が生じた位置と結露の状態を確認する第４のステップ、
前記第３のステップ及び前記第４のステップで得られた情報をもとに、前記外囲器内部の湿度とその湿度における結露の状態を調査する第５のステップを含むことを特徴とする配電設備の試験方法。
【請求項２】
請求項１に記載の配電設備の試験方法であって、前記第２のステップにおいて、前記外囲器内部に、前記外囲器内部の湿度を上昇させる加湿手段を設置することを特徴とする配電設備の試験方法。
【請求項３】
請求項２に記載の配電設備の試験方法であって、前記加湿手段として、水または水を含む部材を入れた開放容器、加湿器、及び恒湿槽のいずれか一つまたは複数を組み合わせて用いることを特徴とする配電設備の試験方法。
【請求項４】
請求項１に記載の配電設備の試験方法であって、前記第２のステップにおいて、前記配電設備を、前記外囲器内部の湿度が上昇する環境に置くことを特徴とする配電設備の試験方法。
【請求項５】
請求項１に記載の配電設備の試験方法であって、前記第１のステップにおいて、前記外囲器の内部及び外部に、温度測定手段をさらに設置することを特徴とする配電設備の試験方法。
【請求項６】
請求項１に記載の配電設備の試験方法であって、前記第１のステップにおいて、前記外囲器内部に、前記外囲器内部の温度を上昇させる加熱手段をさらに設置し、前記加熱手段を稼動させながら、前記第２のステップ、前記第３のステップ、及び前記第４のステップを行なうことを特徴とする配電設備の試験方法。
【請求項７】
請求項１に記載の配電設備の試験方法であって、配電設備が前記外囲器内部に、稼動時に周囲に熱を放散する機器及び部品を備えている場合、前記周囲に熱を放散する機器及び部品を稼動させながら、前記第２のステップ、前記第３のステップ、及び前記第４のステップを行なうことを特徴とする配電設備の試験方法。
【請求項８】
請求項１に記載の配電設備の試験方法であって、配電設備が前記外囲器内部の温度または前記機器及び部品の温度を下降させる冷却手段を備えている場合、前記冷却手段を稼動させながら前記第２のステップ、前記第３のステップ、及び前記第４のステップを行なうことを特徴とする配電設備の試験方法。
【請求項９】
請求項１に記載の配電設備の試験方法であって、配電設備が前記外囲器内部の空気を入れ替える換気手段を備えている場合、前記換気手段を稼動させながら前記第２のステップ、前記第３のステップ、及び前記第４のステップを行なうことを特徴とする配電設備の試験方法。
【請求項１０】
請求項１に記載の配電設備の試験方法であって、前記第３のステップにおいて、前記湿度測定手段は、前記外囲器内部の複数箇所の湿度を測定することを特徴とする配電設備の試験方法。
【請求項１１】
請求項１に記載の配電設備の試験方法であって、前記第４のステップにおいて、結露の状態は、結露による水滴の量をもとに判断されることを特徴とする配電設備の試験方法。
【請求項１２】
請求項１に記載の配電設備の試験方法であって、前記第５のステップにおいて、前記外囲器内部の湿度とその湿度における結露の状態が前記機器及び部品に与える影響を調査することを特徴とする配電設備の試験方法。
【請求項１３】
請求項１に記載の配電設備の試験方法であって、実用の配電設備を模擬した試験用設備を用いて試験を行うことを特徴とする配電設備の試験方法。
【発明の詳細な説明】
【技術分野】
【０００１】
本発明は、雨滴や浸水以外の形で配電設備の外囲器内部に侵入する水蒸気、及びその水蒸気により生じる結露の影響について調査するための配電設備の試験方法に関する。
【背景技術】
【０００２】
電気エネルギーを工場等の建物へ供給する配電設備は、通常、複数の電気機器及び部品が箱型の外囲器（閉鎖金属盤）に収納された構成である。高湿度環境（例えば相対湿度７０％ＲＨ以上）に置かれた配電設備は、外囲器内部の機器及び部品の劣化、磨耗、発錆が促進され、動作不良が誘発されることが知られている。また、高電圧を扱う配電設備においては、わずかな水分が原因となり微小放電が生じる。微小放電は、水分を吸収する硝酸を生成して機器に汚損を生じさせ、この汚損がさらに微細な放電を生じさせ、漏電現象の一種であるトラッキングを引き起こす。また、水分と電界の影響により、導体に用いられている金属が溶け出すマイグレーション現象が生じ、絶縁抵抗が低下する。このような状態を放置しておくと、最終的には短絡や地絡などが生じる場合がある。
【０００３】
湿度すなわち空気中に含まれる水蒸気の量と絶縁抵抗の低下に関するデータとして、配電設備の外囲器内部の機器が経年劣化していない場合は相対湿度８５％ＲＨ程度、塵埃、塩害、硝酸の付着等の表面汚損が進んでいる場合は相対湿度７０％ＲＨ程度で、絶縁抵抗が急激に低下する事象が見られる。相対湿度８５％ＲＨとは、日本では梅雨の季節の平均最高湿度程度の値であり、湿度７０％ＲＨとは、日本の年間平均湿度程度の値である。
【０００４】
このように、配電設備にとって水滴の侵入は短絡や地絡などの原因となるため、雨滴や浸水のように外部から直接侵入する水滴に対する試験はすでに確立しており、実施されている（非特許文献１）。例えば屋外に設置されるスイッチギヤなどの配電設備に対し、外部から４６０ｋＰａ、５ｍｍ／ｍｉｎの水流を６０〜８０度の角度で散布できるノズルを用いて５分間水流を浴びせ、配電設備の外囲器内部に設置された主回路及び補助回路の絶縁物や電気機器への水滴の付着の有無を調査する試験がある。ここで想定している雨滴や浸水のような外部から直接侵入する水滴に起因する短絡や地絡は、（社）日本電機工業会による平成１９年３月発行の「何故産業事故は起きているのでしょうか？」によれば、現在、配電設備の短絡や地絡原因の１０％程度と報告されている。
【０００５】
一方、配電設備の外囲器には、換気口や床面側ケーブル引き込み部等の開口部があるため、水が溜まる地下や床下のような場所に設置された場合には、これらの開口部から水蒸気を多く含んだ高湿度の空気が侵入する。また、屋内に設置された設備でも、外部設備につながるバスダクト等から高湿度の空気が侵入することがある。このため、雨滴に直接さらされない場所に設置された設備であっても、侵入した高湿度の空気が冷たい金属部位に触れて結露し、外囲器内部に水滴が発生するという事例は多く見られる。このような、雨滴や浸水以外の形で外囲器内部に侵入する水蒸気、及びその水蒸気により生じる結露の影響について調査する試験は、従来行われていなかった。
【先行技術文献】
【非特許文献】
【０００６】
【非特許文献１】ＩＥＣ６０５２９「Ｄｅｇｒｅｅｓ  ｏｆ  ｐｒｏｔｅｃｔｉｏｎ                ｐｒｏｖｉｄｅｄ  ｂｙ  ｅｎｃｌｏｓｕｒｅｓ（ＩＰ  Ｃｏｄｅ                 ）」（財）日本規格協会
【発明の概要】
【発明が解決しようとする課題】
【０００７】
上記のように、従来、雨滴や浸水以外の形で配電設備の外囲器内部に侵入する水蒸気、及びその水蒸気により外囲器内部に生じる結露が、外囲器内部の機器及び部品に与える影響について調査する方法は確立されていないため、配電設備における水分の影響を調査する試験としては不十分であった。
【０００８】
本発明は、上記のような問題点を解消するためになされたもので、雨滴や浸水以外の形で配電設備の外囲器内部に侵入する水蒸気、及びその水蒸気により外囲器内部に生じる結露の影響について調査する試験方法を提供し、湿度環境及び結露に起因する配電設備の機器及び部品の劣化を抑制し、配電設備の品質向上を図ることを目的とする。
【課題を解決するための手段】
【０００９】
本発明に係る配電設備の試験方法は、配電手段を構成する複数の機器及び部品が箱型の外囲器に収納されてなる配電設備について、外囲器の内部に侵入する水蒸気、及びその水蒸気により生じる結露の影響を調査する配電設備の試験方法であって、外囲器内部に湿度測定手段を設置する第１のステップと、外囲器内部の湿度を上昇させる第２のステップと、第２のステップから所定時間経過後、湿度測定手段により外囲器内部の湿度を測定する第３のステップと、外囲器内部を確認し、結露が生じている場合には結露が生じた位置と結露の状態を確認する第４のステップと、第３のステップ及び第４のステップで得られた情報をもとに、外囲器内部の湿度とその湿度における結露の状態を調査する第５のステップを含むものである。
【発明の効果】
【００１０】
本発明によれば、配電設備の外囲器内部の湿度を上昇させることにより、外囲器内部の湿度とその湿度における結露の状態を調査するようにしたので、これらの調査結果をもとに、外囲器内部に侵入する水蒸気、及びその水蒸気により生じる結露の影響を推定することができ、湿度環境及び結露に起因する配電設備の機器及び部品の劣化を抑制し、配電設備の品質向上を図ることができる。
【図面の簡単な説明】
【００１１】
【図１】本発明の実施の形態１に係る配電設備の試験方法を説明するための配電設備の例を示す図である。
【図２】本発明の実施の形態１に係る配電設備の試験方法において、加湿手段として加湿器を用いた例を示す図である。
【図３】本発明の実施の形態１に係る配電設備の試験方法による試験結果の例を示す図である。
【図４】本発明の実施の形態３に係る配電設備の試験方法を説明するための配電設備の例を示す図である。
【図５】本発明の実施の形態４に係る配電設備の試験方法を説明するための配電設備の例を示す図である。
【図６】本発明の実施の形態５に係る配電設備の試験方法を説明するための配電設備の例を示す図である。
【図７】本発明の実施の形態６に係る配電設備の試験方法を説明するための試験用配電設備の例を示す図である。
【発明を実施するための形態】
【００１２】
本発明は、電気エネルギーを工場等の建物へ供給する配電設備について、雨滴や浸水以外の形で配電設備の外囲器内部に侵入する水蒸気、及びその水蒸気により外囲器内部に生じる結露の影響を調査する試験方法を提供するものである。以下、本発明を実施するための形態である実施の形態１〜実施の形態６について、図面に基づいて説明する。
【００１３】
実施の形態１．
図１は、本発明の実施の形態１における配電設備の試験方法を説明するための配電設備の例を示す図である。配電設備１は、配電手段を構成する複数の機器及び部品、例えば遮断器２や変圧器（図示せず）のような電気機器や、それらの回路を繋ぐケーブル等の導線３、及び導体を覆う絶縁物４等を備えており、これらの機器及び部品は、箱型の外囲器である閉鎖金属盤５に収納されている。閉鎖金属盤５は、開閉扉５ａにより開閉可能となっており、床面背部にはケーブル貫通穴５ｂを有する。
【００１４】
閉鎖金属盤５内部の床面には、閉鎖金属盤５内部の湿度を上昇させる加湿手段である開放容器６が、開閉扉５ａ付近とケーブル貫通穴５ｂ付近の２箇所に設置されている。開放容器６は、上部が開放された容器に、水または水分を含む部材、具体的には脱脂綿、布、スポンジ等を入れたものである。
【００１５】
また、閉鎖金属盤５内部には、湿度測定手段である複数の湿度計が設置されている。図１において、７ａ〜７ｇは湿度計の設置位置を示している。なお、湿度測定手段としては、乾湿計、露点計の他、電気湿度計、赤外線吸収湿度計等、様々な種類の湿度計を用いることができるが、測定結果を比較するためには湿度計の種類（機種）は同じでなければならない。さらに、閉鎖金属盤５の内部及び外部には、温度測定手段（図示せず）が設置されている。
【００１６】
次に、本実施の形態１における配電設備の試験方法について説明する。この試験は、複数の機器及び部品が箱型の閉鎖金属盤５に収納されてなる配電設備１について、閉鎖金属盤５内部が高湿度環境に置かれた状況を再現し、雨滴や浸水以外の形で閉鎖金属盤５内部に侵入する水蒸気、及びその水蒸気により生じる結露の影響を調査することを目的として行われるもので、試験方法は以下の５つのステップを含んでいる。
【００１７】
まず、第１のステップとして、閉鎖金属盤５内部に複数の湿度計を設置する。湿度計の設置位置は、外気の影響を受けやすいと考えられる閉鎖金属盤５の開閉扉５ａ付近（７ａ、７ｂ）、閉鎖金属盤５の内壁付近（７ｃ）、外気が侵入するケーブル貫通穴５ｂ付近（７ｄ）、結露による劣化が進行しやすい絶縁物４付近（７ｅ）、及び重要な機器である遮断器２付近（７ｆ、７ｇ）等とする。
【００１８】
また、閉鎖金属盤５の内部の温度が高いほど水蒸気の飽和蒸気圧が増大するが、閉鎖金属盤５の内部と外部の温度差が大きい場合には、外気により冷やされる部分に結露が生じ易い。このため、閉鎖金属盤５の内部及び外部に温度測定手段を設置し、第１のステップ以降の閉鎖金属盤５の内部及び外部の温度を測定し記録しておく。
【００１９】
次に、第２のステップとして、閉鎖金属盤５内部の湿度を上昇させる。本実施の形態１では、閉鎖金属盤５内部の湿度を上昇させる加湿手段として、水または水分を含む部材、具体的には脱脂綿、布、スポンジ等を入れた開放容器６を用いている。開放容器６の設置位置は、外部からの水蒸気の侵入を再現するために、外部から水蒸気が侵入しやすい閉鎖金属盤５の開口部付近とする。例えば、開閉扉５ａの隙間付近やケーブル貫通穴５ｂ付近、または通風窓（図示せず）やバスダクト（図示せず）付近とする。さらに、閉鎖金属盤５内部に水が溜まるような窪んだ箇所がある場合、その付近にも設置することが望ましい。
【００２０】
ただし、閉鎖金属盤５内部が狭い、または機器及び部品が隙間無く設置されている等の空間的な理由や、閉鎖金属盤５内部の床面が傾いている、機器の構造強度を高めるためのフレームが存在するために凹凸がある等の形状的な理由で、上記の場所に安定して設置できない場合には、開放容器６を上記以外の場所に設置してもよい。なお、その場合には、開放容器６の開放部の面積を変えて蒸発する水分量を調整する等して、開放容器６を本来の設置場所に設置した場合の湿度環境及び結露の状態に近づくようにする。
【００２１】
なお、本実施の形態１では、加湿手段として、水または水を含む部材を入れた開放容器６を用いたが、加湿手段は特に限定するものではなく、周囲に水蒸気を拡散させて閉鎖金属盤５内部の湿度を上昇させるものであればよい。例えば図２に示すような加湿器８や、閉鎖金属盤５内部に設置可能な恒湿槽（図示せず）を用いてもよい。また、水または水を含む部材を入れた開放容器６、加湿器８、及び恒湿槽のいずれか一つまたは複数を組み合わせて用いてもよい。加湿器８や恒湿槽のような機器を用いることにより、開放容器６を単独で用いる場合よりも容易且つ迅速に湿度を上昇させることができる。
【００２２】
第２のステップから所定時間経過後、第３のステップとして、湿度計により閉鎖金属盤５の複数箇所の湿度を測定する。なお、所定時間とは、閉鎖金属盤５内部に設置された湿度計の測定値（平均値）が予め設定された所定の湿度（今回の試験で目的とする湿度）に達するまでに要する時間である。または、複数の湿度計のうち、基準となる湿度計を１つ決めておき、基準となる湿度計による測定値が、予め設定された所定の湿度に達するまでに要した時間を、第２のステップにおける所定時間としてもよい。
【００２３】
次に、第４のステップで、閉鎖金属盤５内部、すなわち閉鎖金属盤５の内壁と、内部の機器及び部品の結露を水と空気の誘電率の差により検出する濡れセンサ等で確認し、結露が生じている場合には結露が生じた位置と結露の状態を確認する。結露の状態は、結露による水滴の量（水滴の大きさや数）をもとに判断される。また、わずかな水分を検出する手段として、吸水により変色する試料を用いてもよい。
【００２４】
閉鎖金属盤５内部の結露を確認する際には、以下の（ａ）〜（ｆ）の位置について行う。
（ａ）外気の影響を受けやすい閉鎖金属盤５の内壁。
（ｂ）外部から水蒸気が浸入する閉鎖金属盤５の開口部（開閉扉５ａの隙間、ケーブル貫通穴５ｂ、通風窓、換気扇、バスダクト等）付近。
（ｃ）冷却機器や換気装置（いずれも図示せず）等、結露を生じやすい場所。
（ｄ）電圧負荷がかかる絶縁物を有する機器の絶縁物表面。
（ｅ）高湿度環境及び結露により発錆の可能性がある機器の機械部及び金属部。
（ｆ）高湿度環境及び結露により性能の劣化及び事故、故障が生じる可能性がある機器。
【００２５】
さらに、第５のステップにおいて、第３のステップ及び第４のステップで得られた情報をもとに、閉鎖金属盤５内部の湿度とその湿度における結露の状態（結露レベル）、及びその湿度環境と結露の状態が機器及び部品に与える影響を調査する。具体的には、試験した湿度とその湿度を維持した時間に対して、各確認位置における結露の発生の有無、結露の状態を調査し、それらの位置に存在する機器及び部品への影響を推定する。
【００２６】
なお、機器及び部品への影響を明らかにするためには、それぞれの機器及び部品に対して、発錆の有無、絶縁物の劣化の有無、機器の性能劣化、故障の有無を確認する必要がある。機器の性能を確認する試験は、その機器に対して通常行われている信頼性試験等と同様の方法で行うことができる。
【００２７】
本実施の形態１における配電設備の試験方法による試験結果の一例を図３に示す。図３に示す例では、基準点として定めた湿度計（図示せず）における測定値が相対湿度７０％ＲＨ、８０％ＲＨの状態を１時間維持し、６箇所の確認位置ａ〜ｆ（図示せず）について、相対湿度、結露の有無、及び結露レベルをそれぞれ調査している。ここでは結露レベルを１〜４の４段階に分類しており、数字が大きくなるほど結露の状態が進んでいることを示している。図３に示す試験結果から、閉鎖金属盤５の内壁と内部の機器及び部品について、高湿度環境になりやすい部分、結露が生じやすい部分が明らかになる。また、同様の試験を、湿度及び時間等の条件を変えて行うことにより、湿度環境、時間、結露レベルの関係がより詳細に明らかになる。
【００２８】
以上のように、本実施の形態１では、配電手段を構成する複数の機器及び部品が箱型の閉鎖金属盤５に収納されてなる配電設備１について、閉鎖金属盤５内部の湿度を上昇させる加湿手段を設置し、閉鎖金属盤５内部の湿度とその湿度における結露の状態を調査する方法を提供することにより、雨滴や浸水以外の形で閉鎖金属盤５の内部に侵入する水蒸気、及びその水蒸気により生じる結露の影響を推定することが可能となった。これらの調査結果をもとに、湿度環境及び結露への対策を実施することにより、配電設備１の機器及び部品の劣化を抑制し、湿度環境及び結露に起因する事故を防止し、配電設備１の品質向上を図ることができる。
【００２９】
実施の形態２．
上記実施の形態１では、第２のステップにおいて、閉鎖金属盤５内部に、閉鎖金属盤５内部の湿度を上昇させる加湿手段を設置した。本発明の実施の形態２における配電設備の試験方法では、第２のステップにおいて、配電設備１を閉鎖金属盤５内部の湿度が上昇する環境に置くことにより、配電設備１の閉鎖金属盤５内部が高湿度環境に置かれた状況を再現する。なお、本実施の形態２における第１のステップ及び第３のステップ〜第５のステップは、上記実施の形態１と同様であるので説明を省略する。
【００３０】
本実施の形態２では、第２のステップにおいて、閉鎖金属盤５内部の湿度が上昇する環境として、例えば以下の（ａ）〜（ｃ）のような環境に配電設備１を設置することにより、閉鎖金属盤５内部に外気を取り込み、閉鎖金属盤５内部の湿度を上昇させる。
（ａ）配電設備１を屋外に設置し、閉鎖金属盤５の開閉扉５ａを開く。
（ｂ）閉鎖金属盤５を設置した部屋の窓を開ける。
（ｃ）閉鎖金属盤５を設置した部屋の空調設備を用いる。
【００３１】
なお、上記（ａ）〜（ｃ）によっても閉鎖金属盤５内部の湿度が上昇しない場合、上記実施の形態１と同様の加湿手段、すなわち水または水を含む部材を入れた開放容器６、加湿器８、及び恒湿槽のいずれか一つまたは複数を閉鎖金属盤５内部に設置してもよい。
【００３２】
本実施の形態２によれば、上記実施の形態１と同様の効果に加え、降雨時及び降雨の前後等、実際の天候の影響による高湿度環境及び結露が内部の機器及び部品にどのような影響を与えるかを確認することができる。
【００３３】
実施の形態３．
図４は、本発明の実施の形態３における配電設備の試験方法を説明するための配電設備の例を示す図である。なお、図４中、図１と同一または相当部分には同一符号を付し、説明を省略する。本実施の形態３では、上記実施の形態１または上記実施の形態２による配電設備の試験方法の第１のステップにおいて、閉鎖金属盤５内部に、閉鎖金属盤５内部の温度を上昇させる加熱手段であるヒータ９をさらに設置したものである。
【００３４】
前述のように、閉鎖金属盤５内部の温度が高いほど水蒸気の飽和蒸気圧が増大する。このため、閉鎖金属盤５内部に結露を防止するためのスペースヒータを設置することがある。また、閉鎖金属盤５の内部の機器及び部品には、電流が流れるとジュール熱が発生し周囲に熱を放散するものがある。そこで、本実施の形態３では、上記のような状況を再現し、それらの熱源が閉鎖金属盤５内部の湿度と結露の状態にどのような影響を与えるかを調査するものである。
【００３５】
閉鎖金属盤５内部に熱源がある状況を再現するためには、第１のステップにおいて、加熱手段であるヒータ９を設置し、これを熱源とする。また、閉鎖金属盤５内部に、稼動時に熱を放散する機器及び部品を備えている場合は、これを熱源として用いてもよい。これらの熱源を稼動させながら、第２のステップ〜第４のステップを行なう。なお、本実施の形態３における第２のステップ〜第５のステップは、上記実施の形態１と同様であるので説明を省略する。
【００３６】
本実施の形態３によれば、閉鎖金属盤５内部に熱源を備えた配電設備について、閉鎖金属盤５の内部に侵入する水蒸気、及びその水蒸気により生じる結露の影響を調査することが可能である。また、本実施の形態３による試験結果を、上記実施の形態１及び実施の形態２の試験結果と比較することにより、閉鎖金属盤５内部の熱源が閉鎖金属盤５内部の湿度と結露の状態にどのような影響を与えるかを確認することができる。さらに、スペースヒータ等の熱源を含めた配電設備１の機器及び部品について、結露の影響を抑制するための効果的な配置を検討することができる。
【００３７】
実施の形態４．
図５は、本発明の実施の形態４における配電設備の試験方法を説明するための配電設備の例を示す図である。なお、図５中、図１と同一または相当部分には同一符号を付し、説明を省略する。
【００３８】
配電設備１が閉鎖金属盤５内部の温度を下降させる冷却手段、または機器及び部品の温度を下降させる冷却手段を備えている場合、あるいは閉鎖金属盤５内部の空気を入れ替える換気手段を備えている場合、それらの冷却手段及び換気手段の周辺部の空気が冷やされて結露を生じることがある。
【００３９】
そこで、本実施の形態４では、上記実施の形態１または上記実施の形態２による配電設備の試験方法において、配電設備１の冷却手段及び換気手段が閉鎖金属盤５内部の湿度と結露の状態にどのような影響を与えるかを調査するものである。図５に示す例では、閉鎖金属盤５内部の温度を下降させる冷却手段としてヒートパイプ１０を備えているため、ヒートパイプ１０を稼動させながら第２のステップ〜第４のステップを行なう。
【００４０】
また、配電設備１が閉鎖金属盤５内部の空気を入れ替える換気手段（図示せず）を備えている場合には、その換気手段を稼動させながら第２のステップ〜第４のステップを行なう。なお、本実施の形態４における第２のステップ〜第５のステップは、上記実施の形態１と同様であるので説明を省略する。
【００４１】
本実施の形態４によれば、冷却手段及び換気手段を備えた配電設備について、閉鎖金属盤５の内部に侵入する水蒸気、及びその水蒸気により生じる結露の影響を調査することが可能である。また、本実施の形態４による試験結果を、上記実施の形態１及び実施の形態２の試験結果と比較することにより、配電設備１の冷却手段及び換気手段が閉鎖金属盤５内部の湿度と結露の状態にどのような影響を与えるかを確認することができる。さらに、冷却手段及び換気手段を含めた配電設備１の機器及び部品について、結露の影響を抑制するための効果的な配置を検討することができる。
【００４２】
実施の形態５．
図６は、本発明の実施の形態５における配電設備の試験方法を説明するための配電設備の例を示す図である。なお、図６中、図１、図４及び図５と同一または相当部分には同一符号を付し、説明を省略する。本実施の形態５は、上記実施の形態３と実施の形態４を組み合わせたもので、配電設備１の熱源、冷却手段及び換気手段が閉鎖金属盤５内部の湿度と結露の状態にどのような影響を与えるかを調査するものである。
【００４３】
本実施の形態５では、第１のステップにおいて、加熱手段であるヒータ９を設置し、これを熱源とする。また、図５に示す例では、閉鎖金属盤５内部の温度を下降させる冷却手段としてヒートパイプ１０を備えているため、これらのヒータ９及びヒートパイプ１０を稼動させながら第２のステップ〜第４のステップを行なう。また、配電設備が換気手段（図示せず）を備えている場合には、その換気手段も稼動させながら第２のステップ〜第４のステップを行なう。なお、本実施の形態５における第２のステップ〜第５のステップは、上記実施の形態１と同様であるので説明を省略する。
【００４４】
本実施の形態５によれば、熱源、冷却手段及び換気手段を備えた配電設備について、閉鎖金属盤５の内部に侵入する水蒸気、及びその水蒸気により生じる結露の影響を調査することが可能である。また、本実施の形態５による試験結果を、上記実施の形態１〜実施の形態４の試験結果と比較することにより、配電設備１の熱源、冷却手段及び換気手段が閉鎖金属盤５内部の湿度と結露の状態にどのような影響を与えるかを確認することができる。さらに、熱源、冷却手段及び換気手段を含めた配電設備１の機器及び部品について、結露の影響を抑制するための効果的な配置を検討することができる。
【００４５】
実施の形態６．
上記実施の形態１〜実施の形態５において、実用の配電設備を用いた耐湿試験が困難な場合がある。例えば、内部の機器及び部品の品質を低下させたくない場合、または試験対象である配電設備が溶接等で固定されている、密閉された室内に設置されている、あるいは重量が大きいなどの理由で試験を行える場所に移動できない場合、または配電設備の内部にスペースが無く試験に必要な機器及び部材を設置できない場合等である。
【００４６】
そこで、本発明の実施の形態６では、実用の配電設備を模擬した試験用設備を用いて、上記実施の形態１〜実施の形態５と同様の試験を行うものである。本実施の形態６における試験用設備の例を図７に示す。試験用設備１１は、試験用金属盤１２内部に加湿器８ａとヒータ９ａが設置され、内部の温度を下降させるヒートパイプ１０ａが備えられている。なお、試験用金属盤１２内部には、複数の湿度計（図示せず）が設置されている。このような試験用設備１１を用い、上記実施の形態１〜実施の形態５と同様のステップ１〜ステップ５を含む耐湿試験を行うことができる。
【００４７】
本実施の形態６によれば、実用の配電設備を用いた試験が困難な場合に、実用の配電設備を模擬した試験用設備１１を用いて、試験用金属盤１２内部の湿度とその湿度における結露の状態を調査し、実用の配電設備におけるそれらの影響を推定することができる。
【産業上の利用可能性】
【００４８】
本発明に係る配電設備の試験方法は、雨滴や浸水以外の形で設備内部に侵入する水蒸気、及びその水蒸気により生じる結露の影響について調査するための試験に利用することができる。
【符号の説明】
【００４９】
１  配電設備、２  遮断器、３  導線、４  絶縁物、
５  閉鎖金属盤、５ａ  開閉扉、５ｂ  ケーブル貫通穴、６  開放容器、
７ａ、７ｂ、７ｃ、７ｄ、７ｅ、７ｆ、７ｇ  湿度計の設置位置、
８、８ａ  加湿器、９、９ａ  ヒータ、１０、１０ａ  ヒートパイプ、
１１  試験用設備、１２  試験用金属盤。
【図１】
2010259143.tif 000003
【図２】
2010259143.tif 000004
【図３】
2010259143.tif 000005
【図４】
2010259143.tif 000006
【図５】
2010259143.tif 000007
【図６】
2010259143.tif 000008
【図７】
2010259143.tif 000009